(57)【要約】【課題】容易に測定結果を確認できる測定結果表示方法を提供すること。【解決手段】検体と試薬とを分注して血液凝集反応させる反応容器を複数有する基板を用いて、各反応容器内で生じた血液凝集反応を撮像して得られた測定結果を画面に表示する測定結果表示方法であって、入力された抽出項目に対応する測定結果を、該抽出項目に対応する判定単位で抽出し、抽出された前記測定結果を出力することで、一画面に指定した測定結果のみを表示することを可能とする。【選択図】        図１
2010078371.tif 000002
【特許請求の範囲】
【請求項１】
検体と試薬とを分注して血液凝集反応させる反応容器を複数有する基板を用いて、各反応容器内で生じた血液凝集反応を撮像して得られた測定結果を画面に表示する測定結果表示方法において、
入力された抽出項目に対応する測定結果を、該抽出項目に対応する判定単位で抽出する抽出ステップと、
抽出された前記測定結果を出力する出力ステップと、
を含むことを特徴とする測定結果表示方法。
【請求項２】
前記測定結果は、抽出された項目の前記反応容器単位で撮像された撮像画像と、該撮像画像から読み取った反応判定結果とを含むことを特徴とする請求項１に記載の測定結果表示方法。
【請求項３】
前記抽出ステップは、
予め入力された前記抽出項目を、分析が終了した項目から順に抽出することを特徴とする請求項１または２に記載の測定結果表示方法。
【請求項４】
前記出力ステップは、
前記抽出項目に対応する前記判定単位が、複数の前記測定結果で構成される場合、前記判定単位の総合判定を出力することを特徴とする請求項１〜３のいずれか一つに記載の測定結果表示方法。
【請求項５】
検体と試薬とを分注して血液凝集反応させる反応容器を複数有する基板を用いて、各反応容器内で生じた血液凝集反応を撮像して得られた測定結果を画面に表示する分析装置において、
抽出する測定結果の抽出項目を入力する入力手段と、
前記測定結果と判定単位との関係を記憶する記憶手段と、
前記記憶手段の関係を参照して、入力された抽出項目の測定結果を、該抽出項目に対応する判定単位で抽出する抽出手段と、
抽出された前記測定結果を出力する出力手段と、
を備えたことを特徴とする分析装置。
【請求項６】
前記測定結果は、抽出された項目の前記反応容器単位で撮像された撮像画像と、該撮像画像から読み取った反応判定結果とを含むことを特徴とする請求項５に記載の分析装置。
【請求項７】
前記抽出手段は、予め入力された前記抽出項目を、分析が終了した項目から順に抽出することを特徴とする請求項５または６に記載の分析装置。
【請求項８】
前記出力手段は、前記判定単位が複数の前記測定結果で構成される場合、前記判定単位の総合判定を出力することを特徴とする請求項５〜７のいずれか一つに記載の分析装置。
【請求項９】
前記基板は、マイクロプレートであることを特徴とする請求項５〜８のいずれか一つに記載の分析装置。
【請求項１０】
前記基板は、反応カードであることを特徴とする請求項５〜８のいずれか一つに記載の分析装置。
【発明の詳細な説明】
【技術分野】
【０００１】
本発明は、分析装置の免疫学的凝集反応の測定結果表示方法に関するものである。
【背景技術】
【０００２】
従来、血液や体液などの検体の成分を分析する際には、ウェルと呼ばれる複数の反応容器がマトリックス状に配設されて成るマイクロプレートまたは反応容器を複数保持する反応カードが用いられる。マイクロプレートの各ウェルまたは反応カードの各反応容器には、分析対象の物質を含む検体、および分析対象の物質と抗原抗体反応を起こす物質を含む反応試薬が分注される。そして、この分注から所定時間経過した後、ウェルまたは反応容器内で生じた凝集反応の有無をＣＣＤカメラ等の撮像手段によって撮像し、この撮像によって得た画像データを用いて検体の成分の分析を行う。
【０００３】
ところで、撮像された凝集反応の有無は、モニタ等で確認することができる。また、モニタでは、１つのマイクロプレートの各ウェルの凝集反応像を確認できるとともに、１つのウェルの反応像も確認することが可能である（例えば、特許文献１参照）。
【０００４】
【特許文献１】特許第３２０９６７３号明細書
【発明の開示】
【発明が解決しようとする課題】
【０００５】
しかしながら、特許文献１に示した確認方法では、一画面で確認できる測定結果がマイクロプレート単位であり、プレートに分注した複数の検体の測定結果が一画面上に表示される。分析担当者は、複数の検体の測定結果の中から確認すべき検体の測定結果を追って確認する必要があり、一画面上に複数の検体が表示されることで、分析担当者が測定結果を読み違えるおそれがあった。また、１つの検体の測定結果が複数のプレートに跨った場合、分析担当者は複数の画面で測定結果を確認する必要があった。なお、反応カードにおいてもカードごとの表示となり、不規則抗体等の分析で複数のカードを用いると、別途画面表示させて確認する必要があり、測定結果の確認に時間と労力を要していた。
【０００６】
本発明は、上記に鑑みてなされたものであって、容易に測定結果を確認できる測定結果表示方法を提供することを目的とする。
【課題を解決するための手段】
【０００７】
上述した課題を解決し、目的を達成するために、本発明は、検体と試薬とを分注して血液凝集反応させる反応容器を複数有する基板を用いて、各反応容器内で生じた血液凝集反応を撮像して得られた測定結果を画面に表示する測定結果表示方法において、入力された抽出項目に対応する測定結果を、該抽出項目に対応する判定単位で抽出する抽出ステップと、抽出された前記測定結果を出力する出力ステップと、を含むことを特徴とする。
【０００８】
また、本発明にかかる測定結果表示方法は、上記の発明において、前記測定結果は、抽出された項目の前記反応容器単位で撮像された撮像画像と、該撮像画像から読み取った反応判定結果とを含むことを特徴とする。
【０００９】
また、本発明にかかる測定結果表示方法は、上記の発明において、前記抽出ステップは、予め入力された前記抽出項目を、分析が終了した項目から順に抽出することを特徴とする。
【００１０】
また、本発明にかかる測定結果表示方法は、上記の発明において、前記出力ステップは、前記抽出項目に対応する前記判定単位が、複数の前記測定結果で構成される場合、前記判定単位の総合判定を出力することを特徴とする。
【００１１】
また、本発明にかかる分析装置は、上記の発明において、検体と試薬とを分注して血液凝集反応させる反応容器を複数有する基板を用いて、各反応容器内で生じた血液凝集反応を撮像して得られた測定結果を画面に表示する分析装置において、抽出する測定結果の抽出項目を入力する入力手段と、前記測定結果と判定単位との関係を記憶する記憶手段と、前記記憶手段の関係を参照して、入力された抽出項目の測定結果を、該抽出項目に対応する判定単位で抽出する抽出手段と、抽出された前記測定結果を出力する出力手段と、を備えたことを特徴とする。
【００１２】
また、本発明にかかる分析装置は、上記の発明において、前記測定結果は、抽出された項目の前記反応容器単位で撮像された撮像画像と、該撮像画像から読み取った反応判定結果とを含むことを特徴とする。
【００１３】
また、本発明にかかる分析装置は、上記の発明において、前記抽出手段は、予め入力された前記抽出項目を、分析が終了した項目から順に抽出することを特徴とする。
【００１４】
また、本発明にかかる分析装置は、上記の発明において、前記出力手段は、前記判定単位が複数の前記測定結果で構成される場合、前記判定単位の総合判定を出力することを特徴とする。
【００１５】
また、本発明にかかる分析装置は、上記の発明において、前記基板は、マイクロプレートであることを特徴とする。
【００１６】
また、本発明にかかる分析装置は、上記の発明において、前記基板は、反応カードであることを特徴とする。
【発明の効果】
【００１７】
本発明によれば、抽出項目のみを一画面に表示するようにしたので、容易に正確な測定結果の確認ができるという効果を奏する。
【発明を実施するための最良の形態】
【００１８】
以下、図面を参照して、この発明の実施の形態である分析装置について説明する。なお、この実施の形態によりこの発明が限定されるものではない。また、図面の記載において、同一部分には同一の符号を付している。
【００１９】
図１は、本実施の形態にかかる分析装置の構成を示す模式図である。図１に示すように、本実施の形態にかかる分析装置１は、分析対象である検体および試薬を、マイクロプレート２０の所定のウェルＷにそれぞれ分注し、ウェルＷ内で生じる反応を光学的に測定する測定機構２と、測定機構２を含む分析装置１全体の制御を行うとともに測定機構２における測定結果の分析を行う制御機構３とを備える。分析装置１は、これらの二つの機構が連携することによって複数の検体の免疫学的な分析を自動的に行う。なお、マイクロプレート２０は、アクリル等の透明な材料によって構成したプレートで、その表面に開口したウェルＷと称する孔を多数有する。ウェルＷは、検体を収容するもので傾斜面が形成された孔であり、マイクロプレート２０の表面にマトリクス状に配列されている。
【００２０】
測定機構２は、大別してプレート搬送レーン１０、検体移送部１１、検体分注機構１２、試薬移送部１３、試薬分注機構１４、反応促進部１５、測光部１６およびプレート回収部１７を備える。また、制御機構３は、制御部３１、出力部３２、分析部３３、抽出部３４、送受信部３５、入力部３６および記憶部３７を備える。測定機構２および制御機構３が備えるこれらの各部は、制御部３１に電気的に接続されている。
【００２１】
プレート搬送レーン１０は、マイクロプレート２０における各ウェルＷへの検体や試薬の分注、ウェルＷ内の液体の反応促進および測光を行うためにマイクロプレート２０を所定の位置まで搬送する。このプレート搬送レーン１０は、制御部３１の制御のもと、図示しない駆動機構が駆動することによって、たとえば図１中の矢印に示すように左方向にマイクロプレート２０を搬送する。
【００２２】
検体移送部１１は、検体を収容した複数の検体容器１１ａを保持し、図中の矢印方向に順次移送される複数の検体ラック１１ｂを備える。検体容器１１ａに収容された検体は、検体の提供者から採取した血液に抗凝固剤を加え遠心分離を行い、上澄み液となる血漿と堆積物となる血球（赤血球）粒子とに分離したものである。検体移送部１１上の所定位置に移送された検体容器１１ａ内の検体は、検体分注機構１２によって、プレート搬送レーン１０上に配列して搬送されるマイクロプレート２０の所定のウェルＷに分注される。
【００２３】
検体容器１１ａの側面部には、検体容器１１ａに収容された検体に関する検体情報が記録された記録媒体が付されている。記録媒体は、符号化された各種の情報を表示しており、光学的に読み取られる。検体情報は、たとえば、検体を提供した患者の氏名、性別、年齢、分析項目などがある。
【００２４】
検体移送部１１の対応箇所には、この記録媒体を光学的に読み取る検体読取部１１ｃが設けられている。検体読取部１１ｃは、記録媒体に対して赤外光または可視光を発し、記録媒体からの反射光を処理することによって、記録媒体の情報を読み取る。また、検体読取部１１ｃは、記録媒体を撮像処理し、撮像処理によって得られた画像情報を解読して、記録媒体の情報を取得してもよい。検体読取部１１ｃは、この検体読取部１１ｃの前を通過する際に、検体容器１１ａに付された記録媒体の情報を読み取る。
【００２５】
検体分注機構１２は、検体の吸引および吐出を行うプローブ１２ｂ，１２ｃが先端部に取り付けられたアーム１２ａと、図示しない吸排シリンジまたは圧電素子を用いた吸排機構を備える。検体分注機構１２は、上述した検体移送部１１上の所定位置に移送された検体容器１１ａの中からプローブ１２ｂ，１２ｃによって検体を吸引し、アーム１２ａを図中、上下方向に移動させ、各ウェルＷに検体を吐出して分注を行う。なお、プローブ１２ｂは、検体容器１１ａ内の血清を吸引および吐出し、プローブ１２ｃは、検体容器１１ａ内の血球粒子を吸引および吐出する。
【００２６】
試薬移送部１３は、マイクロプレート２０中における各ウェルＷに分注される試薬がそれぞれ収容された試薬セット１３ａを試薬分注機構１４による試薬吸引位置まで移送する。試薬セット１３ａには、各種の分析項目に応じて所要の試薬がそれぞれ所定量収容され、１セットの試薬セット１３ａに含まれる各試薬は、所定回数の分注に対応する場合のほか、一度の分注に対応する場合もある。試薬移送部１３は、所定回数の分注処理が終了した試薬セット１３ａを回収し、次に分注対象となる試薬セット１３ａを試薬吸引位置まで移送する。
【００２７】
試薬セット１３ａの側面部には、試薬セット１３ａに収容された各試薬に関する試薬情報が記録された記録媒体が付されている。記録媒体は、符号化された各種の情報を表示しており、光学的に読み取られる。試薬移送部１３の対応箇所には、この記録媒体を光学的に読み取る試薬読取部１３ｂが設けられている。試薬読取部１３ｂは、記録媒体に対して赤外光または可視光を発し、記録媒体からの反射光を処理することによって、記録媒体の情報を読み取る。また、試薬読取部１３ｂは、記録媒体を撮像処理し、撮像処理によって得られた画像情報を解読して、記録媒体の情報を取得してもよい。
【００２８】
試薬分注機構１４は、試薬の吸引および吐出を行うプローブが先端部に取り付けられたアーム１４ａを備える。アーム１４ａは、鉛直方向への昇降および自身の基端部を通過する鉛直線を中心軸とする回転を自在に行う。試薬分注機構１４は、図示しない吸排シリンジまたは圧電素子を用いた吸排機構を備える。試薬分注機構１４は、試薬移送部１３上の所定位置に移動された試薬セット１３ａ内の試薬を対応する各プローブによって吸引し、アーム１４ａを図中反時計回りに旋回させ、プレート搬送レーン１０上の所定位置に搬送されたマイクロプレート２０の各ウェルＷに対応する各試薬を吐出して分注を行う。
【００２９】
反応促進部１５は、マイクロプレート２０に分注された検体および試薬の反応を促進し、抗原抗体反応を行わせ、マイクロプレート２０の各ウェルＷ底面に凝集パターンを形成させる。反応促進部１５は、たとえば、マイクロプレート２０を振動させてウェルＷ内の検体および試薬を攪拌する。また、反応促進部１５は、たとえば、分析方法の内容に対応させた所定時間の間、マイクロプレート２０を静置し、血球粒子の自然沈降などを促進する。また、反応促進部１５は、たとえば、所定の磁場を印加することによってウェルＷ内に存在する微粒子を操作する。
【００３０】
測光部１６は、反応促進部１５において形成された凝集パターンを測光検出する。測光部１６は、たとえばＣＣＤカメラによって構成され、マイクロプレート２０の各ウェルＷを上方から撮像し、各ウェルＷに形成された凝集パターンを撮像した画像情報を出力する。また、測光部１６は、マイクロプレート２０の各ウェルＷに所定の光を照射する発光部と各ウェルＷ内の検液に発生する光を受光する受光部とを備え、検液に発生した光の輝度を測光結果として出力してもよい。
【００３１】
プレート回収部１７は、測光部１６による測光処理が終了したマイクロプレート２０を回収する。回収されたマイクロプレート２０は、図示しない洗浄部によって、各ウェルＷの混合液の吸引および排出、洗浄液の注入および吸引によって洗浄される。洗浄されたマイクロプレート２０は再利用される。なお、検査内容によっては１回の測定終了後にマイクロプレート２０が廃棄される場合もある。
【００３２】
つぎに、制御機構３について説明する。制御部３１は、ＣＰＵ等を用いて構成され、分析装置１の各部の処理および動作を制御する。制御部３１は、これらの各構成部位に入出力される情報について所定の入出力制御を行い、かつ、この情報に対して所定の情報処理を行う。また、制御部３１は、表示制御部３１１を有する。表示制御部３１１は、抽出部３４によって抽出された測定結果の表示の制御を行う。
【００３３】
出力部３２は、ディスプレイ、プリンタ、スピーカー等を用いて構成され、分析部３３が生成した分析情報を含む諸情報を出力する。また、抽出部３４によって抽出された画像情報を画面に出力する。
【００３４】
分析部３３は、測光部１６によって測定された測光結果をもとに抗原抗体反応を分析する。なお、分析部３３は、測光部１６が画像情報を出力する場合、測光部１６によって出力された画像情報を処理し、検体の輝度に応じた測光値を取得する。また、分析部３３は、凝集反応の陰性、陽性の判定に用いる、ＳＰＣ（中心部の像のエッジの明りょうさ）、Ｐ（周辺部の明るさ）、Ｃ（中心部の明るさ）、ＬＩＡ（中心部の像の面積）等のパラメータを算出し、記憶されているＳＰＣ，Ｐ，Ｃ，ＬＩＡの各パラメータの閾値と比較する。なお、ＳＰＣ，Ｐ，Ｃのパラメータは、０〜９９の値で求められ、ＬＩＡのパラメータは０〜９９９の値で求められる。算出したパラメータの数値と、パラメータの閾値とを比較して、検査項目ごとに＋（陽性）、−（陰性）、不明（陽性と陰性の間であってどちらとも判定できない場合）に判定可能である。
【００３５】
抽出部３４は、制御部３１に入力部３６からの抽出項目の入力があった場合、関係テーブルＴ１を参照しながら撮像画像データベースＤ１から当該抽出項目を抽出する。抽出した撮像画像は、出力部３２に出力される。
【００３６】
送受信部３５は、図示しない通信ネットワークを介して所定の形式にしたがった情報の送受信を行うインターフェースとしての機能を有する。入力部３６は、キーボード、マウス、マイクロフォン等を用いて構成され、検体の分析に必要な諸情報や分析動作の指示情報等を外部から取得する。また、画面に表示するための抽出項目を制御部３１に出力する。
【００３７】
記憶部３７は、情報を磁気的に記憶するハードディスクと、分析装置１が処理を実行する際にその処理にかかわる各種プログラムをハードディスクからロードして電気的に記憶するメモリとを用いて構成される。記憶部３７は、ＣＤ−ＲＯＭ、ＤＶＤ−ＲＯＭ、ＰＣカード等の記憶媒体に記憶された情報を読み取ることができる補助記憶装置を備えてもよい。また、記憶部３７は、関係テーブルＴ１と撮像画像データベースＤ１とを有する。関係テーブルＴ１は、各検査項目に対する各試薬の関係を記憶する。たとえば、検査項目がＡＢＯ式血液型である場合、抗Ａ抗体並びに抗Ｂ抗体、及びＡ血球並びにＢ血球が関係試薬として記憶される。抽出部３４は、入力された抽出項目を抽出する場合、関係テーブルＴ１を参照して当該項目に対応する情報を抽出する。撮像画像データベースＤ１は、測光部１６によって撮像された撮像画像に陰性または陽性の判定結果及び検体ＩＤ、検査項目と関連付けた画像情報を記憶する。
【００３８】
以上のように構成された分析装置１では、順次搬送される複数のマイクロプレート２０に対して、検体分注機構１２が検体容器１１ａ中の検体を分注し、試薬分注機構１４が試薬セット１３ａ中の各試薬を分注した後、測光部１６が検体と試薬とを反応させた状態の検体の輝度測定を行い、この測定結果を分析部３３が分析することで、検体の抗原抗体反応分析等が自動的に行われる。
【００３９】
ここで、分析処理終了後に測定結果を表示させる測定結果表示処理を、図２を参照して説明する。図２は、測定結果表示処理を示すフローチャートである。
【００４０】
まず、制御部３１は、入力部３６に測定結果を表示する検体ＩＤが入力されたか否かを確認する（ステップＳ１０２）。入力部３６に検体ＩＤの入力があった場合（ステップＳ１０２：Ｙｅｓ）、制御部３１は、入力された検体ＩＤの測定結果を抽出するよう抽出部３４に指示する（ステップＳ１０４）。その後、制御部３１は、抽出された検体ＩＤの測定結果に対して、表示する検査項目が入力されているか否かを確認する（ステップＳ１０６）。入力部３６に検査項目の入力があった場合（ステップＳ１０６：Ｙｅｓ）、制御部３１は、抽出された測定結果から指定された検査項目を抽出するよう抽出部３４に指示を出す（ステップＳ１０８）。指定された検体ＩＤおよび検査項目の抽出が完了すると、制御部３１は、抽出された測定結果を表示するよう表示制御部３１１に指示を出す（ステップＳ１１０）。
【００４１】
ここで、ステップＳ１０２において検体ＩＤの入力がない場合（ステップＳ１０２：Ｎｏ）、制御部３１は、ステップＳ１１０に移行し、マイクロプレート単位で測定結果を表示するよう表示制御部３１１に指示を出す。また、ステップＳ１０６において検査項目の入力がない場合（ステップＳ１０６：Ｎｏ）、制御部３１は、ステップＳ１１０に移行して、指定された検体ＩＤの全測定結果を表示するよう表示制御部３１１に指示を出し、測定結果を表示する。なお、検体ＩＤを２つ以上入力可能としてもよい。
【００４２】
また、図３は、測定結果表示処理で画面に表示される一例を示す模式図である。分析が終了すると、画面に測定結果が表示される。検体ＩＤまたは検査項目の指定がない場合、画面に出力される測定結果は、マイクロプレート単位で表示される。ここで、表の列は、各試薬を示し、行は同一検体ＩＤの測定結果を示している。また、各画像の右側に当該凝集反応の陰性または陽性の結果が表示され、対応する総合判定結果が表の右側に表示される。なお、ＡＢＯ式血液型およびＲｈｏ（Ｄ）血液型は、表１，２に示す各試薬判定結果の組み合わせによって総合判定される。表１は、ＡＢＯ式血液型の各試薬の陰性（−）および陽性（＋）の組み合わせを示し、表２は、Ｒｈｏ（Ｄ）血液型の陰性および陽性の組み合わせを示しており、各試薬の陰性および陽性の結果を組み合わせて総合的に判定して総合判定を決定する。また、図３に示す画面の総合判定は、表１に示す関係性をもとに、抗Ａ抗体（−Ａ）、抗Ｂ抗体（−Ｂ）、Ａ血球（Ａｃｅｌｌ）、Ｂ血球（Ｂｃｅｌｌ）に対する凝集反応を総合して判定されたＡＢＯ式血液型判定結果が出力され、表２に示す関係性をもとに、抗Ｄ抗体（−Ｄ）と対照（Ｒｅｆ）との凝集反応を総合して判定されたＲｈｏ（Ｄ）血液型判定結果が出力される。なお、各撮像画像を選択すると、選択画像がポップアップ表示され、拡大された撮像画像を表示することができ、各凝集反応を確認することができる。
【００４３】
【表１】
2010078371.tif 000003
【００４４】
【表２】
2010078371.tif 000004
【００４５】
入力ボックスＩｂ１は、抽出する検体ＩＤの入力が可能であり、検体ＩＤを入力し、表示ボタンＢ１を押下することで当該検体ＩＤの測定結果を表示することができる。また、検体ＩＤの入力がない場合は、画面上で選択されている選択部Ｐにおける画像に対応した検体ＩＤが入力ボックスＩｂ１に表示される。また、状況に応じてヘルプボタンＢ３を押下して、操作の確認を行い、作業を終了するときは終了ボタンＢ４を押下する。
【００４６】
ここで、表示された検査項目を指定する場合は、項目選択ボタンＢ２を押下することで項目の選択を行うことができる。図４は、項目選択ボタンＢ２を押下すると表示されるポップアップの一例を示す模式図である。各項目にチェックボックスを設け、表示する項目のチェックボックスを選択し、ＯＫボタンＢ５を押下することで図３に示す画面に当該項目の測定結果を表示することができる。全項目の測定結果を表示する場合は、チェックボックスＣｂ１を選択し、ＯＫボタンＢ５を押下する。また、血液型の測定結果を表示する場合はチェックボックスＣｂ２を選択することで表示が可能であり、ＡＢＯ式血液型の測定結果を表示する場合はチェックボックスＣｂ２１を選択し、Ｒｈｏ（Ｄ）血液型の測定結果を表示する場合はチェックボックスＣｂ２２を選択する。また、不規則抗体スクリーニングの測定結果を表示させる場合は、チェックボックスＣｂ３を選択して表示させる。ここで、チェックボックスＣｂ３１〜３３をそれぞれ選択すると、各測定法（抗グロブリン法、酵素法、食塩液法）の測定結果を表示することができる。なお、項目選択をキャンセルする場合は、キャンセルボタンＢ６を押下する。
【００４７】
図５，６は、図３に示した測定結果をもとに検体ＩＤ及び検査項目を抽出して表示した画面を示す模式図である。図５は、図３の一つの検体ＩＤの測定結果を抽出して表示した模式図である。入力ボックスＩｂ１に検体ＩＤを入力し、表示ボタンＢ１を押下することで、指定した検体ＩＤの測定結果を表示する。また、表示された測定結果に合わせて、画面右に判定結果が表示される。
【００４８】
ここで、図５に示す画面で項目選択ボタンＢ２を押下し、項目を選択すると、図６に示す画面が表示される。図６は、図４におけるチェックボックスＣｂ２１を選択し、ＡＢＯ式血液型の測定結果を表示した画面を示す模式図である。図４においてチェックボックスＣｂ２１を選択すると、抽出部３４は、抽出項目に対応する画像情報の関係性を、関係テーブルＴ１を参照して撮像画像データベースＤ１から抽出する。ＡＢＯ式血液型の場合、検査項目の判定に抗Ａ抗体（−Ａ）、抗Ｂ抗体（−Ｂ）、Ａ血球（Ａｃｅｌｌ）、Ｂ血球（Ｂｃｅｌｌ）を必要とするため、抽出部３４は、上述した４項目に対応する画像情報を抽出して出力する。また、判定結果は、総合判定として表示される。
【００４９】
なお、測定結果表示処理は、分析処理時に指定する検体ＩＤの測定結果表示を行うこともできる。図７は、分析処理時に指定する検体ＩＤの測定結果を表示する分析処理時結果表示処理を示すフローチャートである。
【００５０】
まず、制御部３１は、分析処理を行った（ステップＳ２０２）後、分析部３３から測定結果を受信すると、入力部３６に測定結果を表示する検体ＩＤの指定があるかを確認する（ステップＳ２０４）。表示する検体ＩＤが指定されている場合（ステップＳ２０４：Ｙｅｓ）、制御部３１は、指定された検体ＩＤの測定結果を抽出するよう抽出部３４に指示する（ステップＳ２０６）。当該検体ＩＤの測定結果を抽出すると、制御部３１は、当該検体ＩＤの測定結果に関連検査指示があったか否かを確認する（ステップＳ２０８）。ここで、当該検体ＩＤに関連検査の指示がある場合（ステップＳ２０８：Ｙｅｓ）、制御部３１は、分析部３３からの判定処理を待ち、抽出部３４に当該検体ＩＤの関連検査結果を抽出させる（ステップＳ２１０）。関連検査の測定結果の抽出が完了すると（ステップＳ２１０：Ｙｅｓ）、制御部３１は、抽出した測定結果を表示するよう表示制御部３１１に指示を出す（ステップＳ２１２）。その後、制御部３１は、次検体の分析指示があるか否かを確認し、次検体の分析指示がある場合（ステップＳ２１４：Ｙｅｓ）、ステップＳ２０２に移行して分析処理を行う。なお、次の分析指示がない場合（ステップＳ２１４：Ｎｏ）、制御部３１は、作業を終了する。
【００５１】
なお、ステップＳ２０４において、検体ＩＤの指定がない場合（ステップＳ２０４：Ｎｏ）、制御部３１は、ステップＳ２１２に移行して、測定結果をマイクロプレート単位で表示するよう表示制御部３１１に指示を出す。また、ステップＳ２０８において、当該検体ＩＤに関連検査指示がない場合（ステップＳ２０８：Ｎｏ）、制御部３１は、ステップＳ２１２に移行して、ステップＳ２０６で抽出された測定結果を画面に表示するよう表示制御部３１１に指示を出す。ここで、関連検査は、不規則抗体スクリーニングによって陽性であった場合の不規則抗体同定検査の結果を指す。なお、分析処理における再検査の結果を表示させてもよい。
【００５２】
また、上述した測定結果表示方法は、複数の反応容器を有する反応カードにおいても適用できる。図８は、反応カード６を用いる分析装置４を示す模式図であり、図９は、反応カード６を模式的に示す斜視図である。
【００５３】
分析装置４は、検体容器、試薬容器、希釈液容器などの各種容器を保持するターンテーブル４０と、細管状のプローブを用いて検体や試薬を分注する分注機構４３と、検体および試薬を分注する未使用の反応カード６を複数貯蔵する反応カード貯蔵部４４と、反応カード６を搭載可能であり、搭載した反応カード６に遠心力を加える遠心器４５と、遠心器４５の遠心動作によって生じた反応像を測定する測定部４６と、測定部４６による測定が終了した反応カード６を廃棄する反応カード廃棄部４７と、反応カード６を移送する反応カード移送機構４８と、分析装置４全体の制御を行うとともに、測定結果の分析を行う制御機構５とを備える。
【００５４】
また、分注機構４３は、プローブを洗浄するプローブ洗浄部４２と、検体と希釈液とを混和させることによって検体を希釈する検体希釈部４１とを有する。分析において、検体を希釈する必要がある場合、検体希釈部４１によって検体が希釈される。
【００５５】
分注機構４３は、検体、試薬、希釈液の吸引および吐出を行う細管状のプローブ４３１と、プローブ４３１を保持するプローブ保持部４３２と、プローブ保持部４３２を図８のｙ軸方向およびｚ軸方向へ移動自在に支持するアーム４３３と、アーム４３３の基端部を図８のｘ軸方向へ移動自在に支持するアーム保持部４３４とを有する。プローブ４３１は、ターンテーブル４０上の検体容器、試薬容器、希釈液容器にそれぞれ収容されている検体、試薬、希釈液を吸引するとともに、遠心器４５が保持する反応カード６に希釈された検体や試薬を吐出する。プローブ４３１は、プローブ保持部４３２およびアーム４３３の動作により、検体希釈部４１やプローブ洗浄部４２にも到達可能である。なお、検体、試薬、希釈液の分注をそれぞれ別の分注機構によって行う構成としてもよい。
【００５６】
遠心器４５は、円形表面を有して複数の反応カード６を保持し、回転によって各反応カード６に遠心力を加える回転ヘッドを有する。
【００５７】
測定部４６はＣＣＤカメラ４６１を有し、反応カード移送機構４８によって遠心器４５から移送されてきた反応カード６の反応像を撮像して分析部５３へ送信する。
【００５８】
反応カード移送機構４８は、反応カード６を把持する反応カード把持部４８１と、反応カード把持部４８１を図８のｘ軸方向およびｚ軸方向へ移動自在に支持するアーム４８２と、アーム４８２の基端部を図８のｙ軸方向へ移動自在に支持するアーム保持部４８３とを有する。反応カード移送機構４８は、反応カード貯蔵部４４が収容する反応カード６の遠心器４５への移送、遠心器４５で遠心が終了した反応カード６の測定部４６への移送、および測定部４６で測定が終了した反応カード６の反応カード廃棄部４７への移送を行う機能を有している。なお、アーム４８２は、図８のｚ軸方向で分注機構４３のアーム４３３と干渉することがない位置に配置されている。
【００５９】
つぎに、制御機構５について説明する。制御部５１は、ＣＰＵ等を用いて構成され、分析装置４の各部の処理および動作を制御する。制御部５１は、これらの各構成部位に入出力される情報について所定の入出力制御を行い、かつ、この情報に対して所定の情報処理を行う。また、制御部５１は、表示制御部５１１を有する。表示制御部５１１は、抽出部５４によって抽出された測定結果の表示の制御を行う。
【００６０】
出力部５２は、ディスプレイ、プリンタ、スピーカー等を用いて構成され、分析部５３が生成した分析情報を含む諸情報を出力する。また、抽出部５４によって抽出された画像情報を画面に出力する。
【００６１】
分析部５３は、測定部４６によって測定された測光結果をもとに抗原抗体反応を分析する。なお、分析部５３は、測定部４６が画像情報を出力する場合、測定部４６によって出力された画像情報を処理し、検体の輝度に応じた測光値を取得する。また、分析部５３は、凝集反応の陰性、陽性の判定に用いるパラメータを閾値と比較して、検査項目ごとに４＋〜１＋（陽性）、−（陰性）、不明（陽性と陰性の間であってどちらとも判定できない場合）に判定可能である。
【００６２】
抽出部５４は、制御部５１に入力部５６からの抽出項目の入力があった場合、関係テーブルＴ２を参照しながら撮像画像データベースＤ２から当該抽出項目を抽出する。抽出した撮像画像は、出力部５２に出力される。
【００６３】
送受信部５５は、図示しない通信ネットワークを介して所定の形式にしたがった情報の送受信を行うインターフェースとしての機能を有する。入力部５６は、キーボード、マウス、マイクロフォン等を用いて構成され、検体の分析に必要な諸情報や分析動作の指示情報等を外部から取得する。また、画面に表示するための抽出項目を制御部５１に出力する。
【００６４】
記憶部５７は、情報を磁気的に記憶するハードディスクと、分析装置４が処理を実行する際にその処理にかかわる各種プログラムをハードディスクからロードして電気的に記憶するメモリとを用いて構成される。記憶部５７は、ＣＤ−ＲＯＭ、ＤＶＤ−ＲＯＭ、ＰＣカード等の記憶媒体に記憶された情報を読み取ることができる補助記憶装置を備えてもよい。また、記憶部５７は、関係テーブルＴ２と撮像画像データベースＤ２とを有する。関係テーブルＴ２は、各検査項目に対する各試薬の関係を記憶する。たとえば、検査項目が不規則抗体スクリーニングである場合、抗グロブリン法、酵素法、食塩液法による各測定結果が関係検査項目として記憶される。抽出部５４は、入力された抽出項目を抽出する場合、関係テーブルＴ２を参照して当該項目に対応する情報を抽出する。撮像画像データベースＤ２は、測定部４６によって撮像された、図９に示す反応カード６の各分離部６１２の撮像画像に陰性または陽性の判定結果及び検体ＩＤ、検査項目と関連付けた画像情報を記憶する。
【００６５】
以上のように構成された分析装置４では、順次搬送される複数の反応カード６に対して、分注機構４３がターンテーブル４０に保持されている検体容器、試薬容器中の検体及び試薬を分注した後、遠心器４５で反応カード６に遠心力を付加して反応物を移動させ、測定部４６が検体と試薬とを反応させた状態の検体の撮像測定を行い、この測定結果を分析部５３が分析することで、検体の抗原抗体反応分析等が自動的に行われる。
【００６６】
図９に示す反応カード６は、カード状をなす本体部６０と、本体部６０の上端平面部に開口を有する反応容器６１と、本体部６０に貼付され、識別用のバーコードやロット番号、有効年月日等が印刷されているとともに、検体の情報や反応結果の記載欄を有するシール６２とを有する。反応容器６１は、略円筒形状をなし、検体と試薬とを反応させる反応部６１１と、反応部６１１の底部に連通して設けられ、反応の結果に応じた凝集の有無を判定するための反応像を生じさせる担体としてゲルまたはガラスビーズ等が充填されて、検体と試薬との抗原抗体反応による反応液を遠心器４５によって遠心したものを保持する分離部６１２とを有する。反応カード６は、半透明の樹脂を用いて形成されている。分離部６１２における凝集像は、撮像によって確認され、反応カード６側面から撮像された各分離部６１２を画面に表示する。
【００６７】
ここで、反応カード６を用いた測定結果表示を、図１０を参照して説明する。図１０は、反応カード６を用いた場合の測定結果表示を示す模式図である。
【００６８】
図１０に示すように、撮像された反応カード６の各分離部６１２が、画面に表示される。ここで、反応カード６を用いて不規則抗体スクリーニングを行う場合、測定法（抗グロブリン法、酵素法、食塩液法）によって異なる複数の反応カードを使用して分析が行われる。特に、抗グロブリン法は、検体と血球試薬とを反応させた後に抗ヒトグロブリン抗体と反応させるため、分離部６１２には担体とともに抗ヒトグロブリン抗体が充填された反応カードを使用する。抽出部５４が、記憶部５７に記憶されている撮像画像データベースＤ２から図４に示す項目選択で指定された画像情報を抽出することで、反応カードが別となっている測定結果を一画面に表示することができる。また、画像上部には、各測定法が表示され、各測定法で分析された測定結果を一画面上で比較することで、測定結果の確認を行う。図３，５，６と同様に、入力ボックスＩｂ１に検体ＩＤを入力して表示ボタンＢ１を押下すること、または項目選択ボタンＢ２によって、任意に画像を抽出することができ、反応カードが異なった場合でも一画面に画像を表示できる。
【００６９】
本実施の形態では、表示すべき項目を入力または選択することで指定した項目のみを表示することが可能であり、測定結果が別のマイクロプレート及び反応カードであっても一画面に測定結果を表示することができる。
【図面の簡単な説明】
【００７０】
【図１】実施の形態１にかかる分析装置を示す模式図である。
【図２】測定結果表示処理を示すフローチャートである。
【図３】測定結果表示処理で画面に表示される一例を示す模式図である。
【図４】項目選択ボタンを押下すると表示されるポップアップの一例を示す模式図である。
【図５】測定結果表示処理で画面に表示される一例を示す模式図である。
【図６】測定結果表示処理で画面に表示される一例を示す模式図である。
【図７】分析処理時に指定する項目の測定結果を表示する分析処理時結果表示処理を示すフローチャートである。
【図８】反応カードを用いる分析装置を示す模式図である。
【図９】反応カードを模式的に示す斜視図である。
【図１０】反応カードを用いた場合の測定結果表示を示す模式図である。
【符号の説明】
【００７１】
１，４  分析装置
２  測定機構
３，５  制御機構
６  反応カード
１０  プレート搬送レーン
１１  検体移送部
１１ａ  検体容器
１１ｂ  検体ラック
１１ｃ  検体読取部
１２  検体分注機構
１２ａ，１４ａ，４３３，４８２  アーム
１２ｂ，１２ｃ，４３１  プローブ
１３  試薬移送部
１３ａ  試薬セット
１３ｂ  試薬読取部
１４  試薬分注機構
１５  反応促進部
１６  測光部
１７  プレート回収部
２０  マイクロプレート
３１，５１  制御部
３１１，５１１  表示制御部
３２，５２  出力部
３３，５３  分析部
３４，５４  抽出部
３５，５５  送受信部
３６，５６  入力部
３７，５７  記憶部
４０  ターンテーブル
４１  検体希釈部
４２  プローブ洗浄部
４３  分注機構
４３２  プローブ保持部
４３４，４８３  アーム保持部
４４  反応カード貯蔵部
４５  遠心器
４６  測定部
４６１  ＣＣＤカメラ
４７  反応カード廃棄部
４８  反応カード移送機構
４８１  反応カード把持部
６０  本体部
６１  反応容器
６１１  反応部
６１２  分離部
６２  シール
Ｂ１〜Ｂ６  ボタン
Ｃｂ１〜Ｃｂ３，Ｃｂ２１，Ｃｂ２２，Ｃｂ３１〜Ｃｂ３３  チェックボックス
Ｄ１，Ｄ２  撮像画像データベース
Ｉｂ１  入力ボックス
Ｔ１，Ｔ２  関係テーブル
Ｗ  ウェル
【図１】
2010078371.tif 000005
【図２】
2010078371.tif 000006
【図３】
2010078371.tif 000007
【図４】
2010078371.tif 000008
【図５】
2010078371.tif 000009
【図６】
2010078371.tif 000010
【図７】
2010078371.tif 000011
【図８】
2010078371.tif 000012
【図９】
2010078371.tif 000013
【図１０】
2010078371.tif 000014